(57)【特許請求の範囲】
【請求項１】
表示素子と、
該表示素子を収容する筐体と、
前記表示素子からの画像光を入射し、該画像光を装着者の眼前に導光して、当該眼球に向けて射出して、前記画像光による虚像を観察可能とする正の屈折力を有する接眼光学系と、
前記筐体に対して、前記装着者の頭部の前後方向にスライド可能に設けられたスライド操作部と、を備え、
前記筐体は、第１の筐体および第２の筐体を有し、
前記表示素子は、前記第１の筐体に固定されており、
前記接眼光学系の少なくとも一部の光学素子は、前記第２の筐体に固定されており、
前記スライド操作部は、前記装着者の前方向にスライドされると、前記表示素子と前記光学素子との間の光路長が長くなるように、少なくとも前記表示素子または前記光学素子と結合されている、
ことを特徴とする頭部装着型表示装置。
【請求項２】
前記スライド操作部は、前記第１の筐体にスライド可能に設けられ、前記第２の筐体に連結されて、該第２の筐体を介して前記光学素子に結合されている、
ことを特徴とする請求項１に記載の頭部装着型表示装置。
【請求項３】
前記光学素子は、前記表示素子からの前記画像光を入射する入射面と、前記画像光を前記装着者の前記眼球に向けて射出する射出面とが、前記装着者から見て手前側に位置する導光部材を含む、
ことを特徴とする請求項１または２に記載の頭部装着型表示装置。
【請求項４】
前記スライド操作部は、前記第１の筐体の外側面上をスライド可能に設けられている、
ことを特徴とする請求項２に記載の頭部装着型表示装置。
【請求項５】
前記スライド操作部は、前記装着者の視界内で下方に傾斜した視線方向で虚像を観察可能に、前記第１の筐体に対してスライド可能に設けられている、
ことを特徴とする請求項２に記載の頭部装着型表示装置。
【発明の詳細な説明】
【技術分野】
【０００１】
本発明は、頭部装着型表示装置に関するものである。
【背景技術】
【０００２】
従来、人の頭部に装着される頭部装着型表示装置として、表示素子と接眼光学系とを備え、表示素子に表示される画像を接眼光学系により虚像として拡大して観察できるようにしたものが種々提案されている。このような頭部装着型表示装置は、個人に装着されることから、装着者個人の視度に適した表示を行うことが望まれる。
【０００３】
その要望に応えるものとして、例えば、視度調整用ノブを設け、該視度調整用ノブを回転させることにより、表示素子を接眼レンズに対して光軸方向に移動可能に構成して、視度調整を可能にしたものが知られている（例えば、特許文献１参照）。また、装着者の頭部に対し、表示素子および接眼光学系を有する表示ユニットの取り付け位置を前後に調整可能に構成して、虚像の位置を調整可能にしたものが知られている（例えば、特許文献２参照）。
【先行技術文献】
【特許文献】
【０００４】
【特許文献１】特開２００４−２９７６８号公報
【特許文献２】特開平１０−７４０５１号公報
【発明の概要】
【発明が解決しようとする課題】
【０００５】
しかしながら、上記の特許文献１に開示の頭部装着型表示装置は、視度調整用ノブを回転させることにより、虚像の位置を装着者に近づける方向または遠ざける方向に移動させるようにしている。そのため、視度調整用ノブの回転方向と虚像の移動方向とが、装着者にとって直感的にわかりにくい。その結果、虚像を逆方向に移動させる誤操作が生じやすく、調整に時間がかかることがある。また、視度調整用ノブは、比較的小さいため、回転操作がしづらいことも懸念される。
【０００６】
これに対し、特許文献２に開示の頭部装着型表示装置は、装着者の頭部に対する表示ユニットの取り付け位置を前後に調整可能に構成しているので、表示ユニットの調整方向と虚像の移動方向とが一致し、調整しやすい利点がある。しかし、この頭部装着型表示装置は、表示ユニット全体を移動させるようにしているため、表示ユニット内の表示素子および接眼光学系の相対位置が変化せず、表示ユニットの移動量に対する視度の調整効果が非常に小さい。そのため、通常の視度調整範囲を確保しようとすると、表示ユニットの移動調整範囲が大きくなって、装置全体が大型かつ重くなることが懸念される。
【０００７】
したがって、かかる観点に鑑みてなされた本発明の目的は、装置の大型化および重量化を招くことなく、視度調整を簡単な操作で容易にできる頭部装着型表示装置を提供することにある。
【課題を解決するための手段】
【０００８】
上記目的を達成する第１の観点に係る頭部装着型表示装置の発明は、
表示素子と、
該表示素子を収容する筐体と、
前記表示素子からの画像光を入射し、該画像光を装着者の眼前に導光して、当該眼球に
向けて射出して、前記画像光による虚像を観察可能とする正の屈折力を有する接眼光学系
と、
前記筐体に対して、前記装着者の頭部の前後方向にスライド可能に設けられたスライド
操作部と、を備え、
前記筐体は、第１の筐体および第２の筐体を有し、
前記表示素子は、前記第１の筐体に固定されており、
前記接眼光学系の少なくとも一部の光学素子は、前記第２の筐体に固定されており、
前記スライド操作部は、前記装着者の前方向にスライドされると、前記表示素子と前記光学素子との間の光路長が長くなるように、少なくとも前記表示素子または前記光学素子と結合されている、
ことを特徴とするものである。
【０００９】
かかる構成によると、スライド操作部のスライド操作によって、表示素子と接眼光学系の少なくとも一部の光学素子との間の光路長が調節されて、スライド操作の方向と同方向に虚像の位置が移動する。つまり、スライド操作部を装着者の頭部の前方にスライドさせると、観察される虚像も同様に前方に移動し、逆にスライド操作部を後方向にスライドさせると、虚像も同様に後方に移動することになる。したがって、装着者は、直感的な操作で視度調整を簡単に行うことが可能となる。しかも、スライド操作部のスライドにより、少なくとも表示素子または接眼光学系の少なくとも一部の光学素子を移動させるので、小さな光路長の変化で大きな視度調整効果を得ることができ、視度調整を効率的に行うことが可能となる。これにより、装置の大型化および重量化を招くことなく、視度調整を簡単な操作で容易に行うことができる。
【００１０】
第２の観点に係る発明は、第１の観点に係る頭部装着型表示装置において、
前記スライド操作部は、前記第１の筐体にスライド可能に設けられ、前記第２の筐体に連結されて、該第２の筐体を介して前記光学素子に結合されている、
ことを特徴とするものである。
【００１１】
かかる構成によると、スライド操作部は第１の筐体に対して、第２の筐体をスライドさせるので、簡易な機構で、かつ容易な操作で虚像の位置を調節することが可能となる。しかも、表示素子に対して、接眼光学系の少なくとも一部の光学素子をスライド操作部のスライド操作によって同方向に移動させればよいので、より簡易な機構で直感的な操作が可能となる。また、表示素子は移動しないので、スライド操作部のスライド操作によって。表示素子を含む電装系に悪影響が及ぶこともない。
【００１２】
第３の観点に係る発明は、第１または２の観点に係る頭部装着型表示装置において、
前記光学素子は、前記表示素子からの前記画像光を入射する入射面と、前記画像光を前記装着者の前記眼球に向けて射出する射出面とが、前記装着者から見て手前側に位置する導光部材を含む、
ことを特徴とするものである。
【００１３】
かかる構成によると、スライド操作部を前方にスライド操作すると、表示素子との間隔が開いて、つまり光路長が長くなって、虚像の位置が遠方へ移動するので、より簡易な機構で直感的な操作が可能となる。
【００１６】
第４の観点に係る発明は、第２の観点に係る頭部装着型表示装置において、
前記スライド操作部は、前記第１の筐体の外側面上をスライド可能に設けられている、
ことを特徴とするものである。
【００１７】
かかる構成によると、スライド操作部が第１の筐体の外側面に配置されるので、装置の装着状態において容易にスライド操作することが可能となる。
【００１８】
第５の観点に係る発明は、第２の観点に係る頭部装着型表示装置において、
前記スライド操作部は、前記装着者の視界内で下方に傾斜した視線方向で虚像を観察可能に、前記第１の筐体に対してスライド可能に設けられている、
ことを特徴とするものである。
【００１９】
かかる構成によると、正面視界が邪魔されることなく虚像を観察しながら、視度調整することが可能となる。
【発明の効果】
【００２０】
本発明よると、装置の大型化および重量化を招くことなく、視度調整を簡単な操作で容易に行うことができる。
【図面の簡単な説明】
【００２１】
【図１】本発明の第１実施の形態に係る頭部装着型表示装置の要部の構成を示す図である。
【図２】本発明の第２実施の形態に係る頭部装着型表示装置の要部の構成を示す平面図および側面図である。
【図３】図２に示した第１の筐体および第２の筐体の内部の要部の概略構成を示す図である。
【図４】図２に示した第１の筐体および第２の筐体を分離して示す図である。
【図５】図２に示した頭部装着型表示装置のスライド操作を説明するための平面図および側面図である。
【図６】本発明の第３実施の形態に係る頭部装着型表示装置の要部の構成を示す側面図である。
【図７】図６に示した第１の筐体および第２の筐体を分離して示す図である。
【図８】本発明の第４実施の形態に係る頭部装着型表示装置の要部の構成を示す横断面図である。
【図９】図８に示した第１の筐体および第２の筐体を分離して示す図である。
【図１０】図８に示した頭部装着型表示装置を眼鏡に装着した状態を示す斜視図である。
【図１１】本発明の第５実施の形態に係る頭部装着型表示装置の要部の構成を拡大して示す図である。
【図１２】本発明に係る頭部装着型表示装置による虚像の距離変化を説明するための図である。
【発明を実施するための形態】
【００２２】
以下、本発明の実施の形態について、図を参照して説明する。なお、以下の実施の形態では、説明の便宜上、右眼用の頭部装着型表示装置について説明するが、本発明に係る頭部装着型表示装置は、右眼用に限らず、左眼用についても同様に構成できることは勿論である。
【００２３】
（第１実施の形態）
図１（ａ）および（ｂ）は、本発明の第１実施の形態に係る頭部装着型表示装置の要部の構成を示す図である。この頭部装着型表示装置１０は、筐体１１と、該筐体１１を装着者の頭部側面において図示しないヘッドセットの頭部支持部や眼鏡のテンプル等に取り付けるための固定部１２とを備える。筐体１１は、装着者の頭部右側面側に装着された状態で、頭部の前後方向に延在する第１の部分１１ａと、この第１の部分１１ａの先端部から装着者の右眼球ＥＲ前まで左右方向に延在する第２の部分１１ｂとを有するＬ字形状を成している。
【００２４】
筐体１１の第１の部分１１ａには、表示素子である液晶パネルや有機ＥＬパネル等の表示パネル１３が固定されているとともに、図示しないが表示パネル１３の駆動回路等を含む電装系が配置されている。また、筐体１１の第２の部分１１ｂには、表示パネル１３からの画像光を入射し、該画像光を装着者の右眼球ＥＲ前に導光して、右眼球ＥＲに向けて射出して、虚像を観察可能とする正の屈折力を有する接眼光学系１４が配置されている。なお、第２の部分１１ｂには、接眼光学系１４から画像光が射出される位置に接眼窓１１ｃが形成されている。
【００２５】
接眼光学系１４は、表示パネル１３からの画像光を入射して装着者の右眼球ＥＲ前に導く導光部材１５と、導光部財１５から射出される画像光を集光して右眼球ＥＲに向けて射出する正の屈折力を有する接眼レンズ１６とを有する。導光部材１５は、相対的に大面積の第１の光学面１７、第１の光学面１７と対向する小面積の第２の光学面１８と、第１の光学面１７および第２の光学面１８を連結する傾斜した第３の光学面１９および第４の光学面２０を有する台形状のプリズムからなる。
【００２６】
第１の光学面１７は、その一端部に画像光の入射面１７ａを有し、他端部に画像光の射出面１７ｂを有する。導光部材１５は、筐体１１が装着者の頭部に装着された状態で、第１の光学面１７が装着者から見て手前側に位置するように配置されている。そして、導光部材１５は、第１の光学面１７の入射面１７ａに入射された表示パネル１３からの画像光を、第３の光学面１９、第１の光学面１７、第２の光学面１８、第１の光学面１７および第４の光学面２０で順次５回反射させた後、第１の光学面１７の射出面１７ｂから射出させる。
【００２７】
接眼レンズ１６は、第１の光学面１７の射出面１７ｂに配置されて、射出面１７ｂから射出される画像光を集光して右眼球ＥＲに向けて射出する。これにより、装着者は、画像光による虚像を観察することが可能になる。なお、接眼窓１１ｃは、接眼レンズ１６が突出する大きさを有している。
【００２８】
本実施の形態に係る頭部装着型表示装置１０は、筐体１１の第１の部分１１ａ内に、第１の部分１１ａの延在方向、すなわち、筐体１１が装着者の頭部に装着された状態で、頭部の前後方向、にスライド可能なスライド部材２１を有する。スライド部材２１は、第１の部分１１ａ内に配置される表示パネル１３を含む電装系を避けるため、および、表示パネル１３からの画像光をけらないようにするため、スライド方向と直交する断面が、例えばコ字状に形成されており、その先端部に導光部材１５が連結されている。
【００２９】
また、スライド部材２１の後端部には、図１（ａ）に部分詳細側面図をも示すように、筐体１１の第１の部分１１ａの外側面に形成されたガイド孔１１ｄを通してスライド操作部２２が外部に露出して設けられている。なお、ガイド孔１１ｄは、スライド部材２１のスライド方向に延在して形成されている。そして、スライド部材２１は、筐体１１との摩擦や図示しない公知のスライド支持機構等により、スライド操作部２２の操作による任意のスライド位置を保持できるようになっている。
【００３０】
本実施の形態に係る頭部装着型表示装置１０によれば、例えば、図１（ａ）に示す状態から、装着者がスライド操作部２２を前方向に移動させると、接眼光学系１４の全体が、筐体１１の第２の部分１１ｂ内で、スライド操作部２２と一体に図１（ｂ）に示すように、同じ方向に移動する。これにより、表示パネル１３と接眼光学系１４との間の光路長、より詳しくは、表示パネル１３と接眼レンズ１６との間の光路長が長くなって、画像光による虚像の形成位置が遠方に移動する。したがって、スライド操作部２２の移動方向と虚像の移動方向とが一致しているので、装着者は、直感的なスライド操作により、視度調整および像距離の調節を行うことができる。また、表示パネル１３と接眼光学系１４との間の光路長を変化させることで、小さな光路長の変化で大きな視度調整効果を得ることができる。これにより、装置の大型化および重量化を招くことなく、視度調整を効率的に行うことが可能となる。また、表示パネル１３は固定され、接眼光学系１４がスライドするので、スライド操作によって電装系が移動することがなく、故障の原因となりにくい。さらに、スライド操作部２２が、筐体１１の第１の部分１１ａの外側面にスライド可能に設けられているので、装着したままの状態でも、装着者は容易に操作することができる。
【００３１】
（第２実施の形態）
図２（ａ）および（ｂ）は、本発明の第２実施の形態に係る頭部装着型表示装置の要部の構成を示す平面図および側面図である。なお、図１に示した構成要素と同一作用を成す構成要素には、同一参照符号を付して説明を省略する。この頭部装着型表示装置３０は、第１の筐体３１と第２の筐体３２とを有する。第１の筐体３１には、ヘッドセットの頭部支持部や眼鏡のテンプル等に取り付けるための固定部３３が設けられている。図２（ａ）は、固定部３３を眼鏡ＥＧの右側のテンプルＴＲに取り付けた場合を例示している。
【００３２】
第１の筐体３１は、テンプルＴＲの延在方向、すなわち眼鏡ＥＧが装着された状態で、装着者の頭部の前後方向に延在する。第２の筐体３２は、第１の筐体３１の先端部から装着者の右眼球前まで、第１の筐体３１の延在方向に対して鈍角な角度で左右方向に延在する。
【００３３】
第１の筐体３１には、図３（ａ），（ｂ）に示すように、表示パネル１３および図示しない電装系の他、光路補正用のプリズム３４が固定されている。また、第２の筐体３２には、導光部材１５と接眼レンズ１６とを有する接眼光学系１４が固定されている。なお、第１の筐体３１は、全体が箱状に形成されており、画像光が射出される部分には射出窓３１ａが形成されている。また、第２の筐体３２には、第１の筐体３１の射出窓３１ａと対応する部分、すなわち導光部材１５の入射面１７ａに対応する部分に、画像光の入射窓３２ａが形成されており、接眼レンズ１６と対応する部分に、画像光が射出される接眼窓３２ｂが形成されている。
【００３４】
第２の筐体３２には、第１の筐体３１の外側面上を、第１の筐体３１の延在方向にスライド可能にスライド操作部３５が設けられている。そのため、図４に第１の筐体３１および第２の筐体３２を分離して示すように、スライド操作部３５のスライド面には、スライド方向の２箇所にガイドピン３６，３７が設けられている。また、第１の筐体３１の外側面には、ガイドピン３６，３７が係合するガイド孔３１ｂ、３１ｃが、それぞれスライド方向に延在して形成されている。なお、ガイドピン３６，３７の頂部には、対応するガイド孔３１ｂ、３１ｃからの抜け止め用のフランジ部３６ａ，３７ａが形成されている。また、ガイド孔３１ｂ、３１ｃの端部には、対応するガイドピン３６，３７のフランジ部３６ａ，３７ａが挿脱可能な開口部３１ｄ、３１ｅが形成されている。
【００３５】
これにより、第２の筐体３２は、スライド操作部３５を介して第１の筐体３１に対して挿脱可能となる。そして、第２の筐体３２は、第１の筐体３１への装着状態において、スライド操作部３５のスライド操作により、第１の筐体３１の延在方向、すなわち装着者の頭部の前後方向に移動可能となる。なお、スライド操作部３５のスライド操作範囲に亘って、第２の筐体３２の入射窓３２ａからの外光の侵入を防止するため、図４に示すように、第１の筐体３１の上下の面には、第２の筐体３２を上下から挟むように前方に突出して庇３１ｆ，３１ｇが形成されている。また、第２の筐体３２には、スライド操作部３５と協働して、第１の筐体３１の先端部を左右方向から挟むように、庇３２ｃが形成されている。
【００３６】
本実施の形態に係る頭部装着型表示装置３０によると、例えば図２に示す状態から、装着者が第１の筐体１１の外側面上に設けられたスライド操作部３５を前方向にスライド操作すると、第２の筐体３２はスライド操作部３５と一体に、図５（ａ），（ｂ）に示すように、同じ方向に移動する。これにより、第１の筐体３１に収容されている表示パネル１３と、第２の筐体３２に収容されている接眼光学系１４との距離が、図３（ａ）に示す状態から図３（ｂ）に示す状態に変化して、表示パネル１３と接眼レンズ１６との間の光路長が長くなり、画像光による虚像の形成位置が遠方に移動する。したがって、第１実施の形態の場合と同様の効果が得られる。しかも、第２の筐体３２の移動による外光の侵入も防止できるので、像距離に関係なく安定した画質で虚像を観察することができる。
【００３７】
（第３実施の形態）
図６および図７は、本発明の第３実施の形態に係る頭部装着型表示装置を説明するための図で、図６（ａ）および（ｂ）は要部の構成を示す側面図、図７は筐体を分離して示す図である。本実施の形態に係る頭部装着型表示装置４０は、第２実施の形態に係る頭部装着型表示装置３０において、装着者の視界（視野）内で下方に傾斜した視線方向、つまり、やや下方の視線方向で虚像を観察できるように、第２の筐体３２を支持するスライド操作部３５を第１の筐体３１に対してスライド可能に設けたものである。
【００３８】
そのため、第１の筐体３１は、その先端部がスライド操作部３５のスライド方向に傾斜して形成され、その傾斜方向に表示パネル１３（図３参照）からの画像光を射出するように構成されている。また、スライド操作部３５は、第２の筐体３２を支持する先端部が、スライド方向に傾斜して形成されている。同様に、第２の筐体３２は、第１の筐体３１から下方に傾斜して射出される画像光を入射し、該画像光を装着者の眼前に導光して、当該眼球に向けて斜め上方に向けて射出するように傾斜して、スライド操作部３５に支持されている。なお、図６（ｂ）は、スライド操作部３５を、図６（ａ）に示す状態から斜め下方にスライドさせた状態を示している。
【００３９】
本実施の形態に係る頭部装着型表示装置４０によると、第３実施の形態と同様の効果が得られる。また、第２の筐体３２を支持するスライド操作部３５を、装着者の視界（視野）内でやや下方の視線方向で虚像を観察できるようにスライド可能としたので、常時装着する際に、正面視界を遮らないやや下方向の表示位置を維持したまま、虚像の距離調整を行うことができる。
【００４０】
（第４実施の形態）
図８乃至図１０は、本発明の第４実施の形態に係る頭部装着型表示装置を説明するための図で、図８（ａ）および（ｂ）は要部の構成を示す横断面図、図９は筐体を分離して示す図、図１０は眼鏡への装着状態を示す斜視図である。本実施の形態に係る頭部装着型表示装置５０は、第２実施の形態に係る頭部装着型表示装置３０と、主として接眼光学系の構成が異なるものである。したがって、第２実施の形態で説明した構成要素と同一作用を成す構成要素には、同一参照符号を付して説明を省略する。
【００４１】
本実施の形態において、接眼光学系５１は、正の屈折力を有する第１のレンズ５２、負の屈折力を有する第２のレンズ５３、プリズムからなる導光部材５４および正の屈折力を有する接眼レンズ１６とを有する。そして、第１の筐体３１に収容された表示パネル１３からの画像光が、第１のレンズ５２、第２のレンズ５３、導光部材５４および接眼レンズ１６を経て、全体として正の屈折力を有して、装着者の右眼球ＥＲに向けて射出される。
【００４２】
ここで、第１のレンズ５２は、第１の筐体３１の射出窓３１ａに保持されている。また、第２のレンズ５３、導光部材５４および接眼レンズ１６は、第２のレンズ５３が第２の筐体３２の入射窓３２ａに位置するように導光部材５４の入射面に接合され、接眼レンズ１６が第２の筐体３２の接眼窓３２ｂに位置するように導光部材５４の射出面に接合されて、第２の筐体３２に保持されている。なお、導光部材５４は、第２のレンズ５３を経て入射される画像光を２回反射させて、接眼レンズ１６を経て射出するように構成されている。
【００４３】
そして、図８（ａ），（ｂ）に示すように、第２の筐体３２に連結されたスライド操作部３５を、第１の筐体３１に対してスライド操作することにより、第１の筐体３１に保持された表示パネル１３と、第２の筐体３２に保持された接眼光学系５１の一部の光学素子（この場合、第２のレンズ５３、導光部材５４および接眼レンズ１６）との光路長を、第２の筐体３２が前方に移動すると長くなるように調整可能にしている。これにより、第２実施の形態の場合と同様の効果が得られる。なお、図８（ｂ）は、スライド操作部３５を、図８（ａ）に示す状態から前方にスライドさせた状態を示している。
【００４４】
なお、本実施の形態において、第１の筐体３１の固定部３３は、ボールジョイント３３ａを有し、このボールジョイント３３ａを介して眼鏡ＥＧの右側のテンプルＴＲに固定される場合を例示している。また、図８（ａ），（ｂ）においては、第１の筐体３１は、電装系として、表示パネル１３の他、表示パネル１３の駆動回路等の搭載された回路基板５６、ボタン電池５７、表示パネル１３と回路基板５６とを接続するフレキシブル配線基板５８等を収容する場合を例示している。また、第２の筐体３２に連結されたスライド操作部３５は、第１の筐体３１の外側面に形成されたガイド溝３１ｈに係合してスライドする場合を例示している。
【００４５】
（第５実施の形態）
図１１は、本発明の第５実施の形態に係る頭部装着型表示装置の要部の構成を示す図である。本実施の形態に係る頭部装着型表示装置６０は、第１実施の形態に係る頭部装着型表示装置１０と、主として接眼光学系の構成が異なるものである。したがって、第１実施の形態で説明した構成要素と同一作用を成す構成要素には、同一参照符号を付して説明を省略する。
【００４６】
本実施の形態において、接眼光学系６１は、正の屈折力を有するインナーフォーカスレンズ６２、導光部材１５および接眼レンズ１６とを有する。そして、表示パネル１３からの画像光が、インナーフォーカスレンズ６２、導光部材１５および接眼レンズ１６を経て、装着者の右眼球ＥＲに向けて射出される。
【００４７】
ここで、表示パネル１３は、筐体１１の第１の部分１１ａに固定されており、導光部材１５および接眼レンズ１６は、筐体１１の第２の部分１１ｂに固定されている。また、インナーフォーカスレンズ６２は、鏡筒６５に保持されている。
【００４８】
鏡筒６５は、第１の部分１１ａ内で、第１の部分１１ａの延在方向にスライド可能に設けられている。鏡筒６５には、図１１に部分拡大側面図をも示すように、第１の部分１１ａの外側面に形成されたガイド孔１１ｄを通して連結されてスライド操作部２２が外部に露出して設けられている。なお、鏡筒６５は、筐体１１との摩擦や図示しない公知のスライド支持機構等により、スライド操作部２２の操作による任意のスライド位置を保持できるようになっている。
【００４９】
したがって、本実施の形態に係る頭部装着型表示装置６０によれば、例えば、装着者がスライド操作部２２を前方向に移動させると、インナーフォーカスレンズ６２が同じ方向に移動する。これにより、表示パネル１３とインナーフォーカスレンズ６２との間の光路長が長くなって、画像光による虚像の形成位置が遠方に移動する。したがって、上記実施の形態の場合と同様の効果が得られる。
【００５０】
図１２は、本発明に係る頭部装着型表示装置による虚像の距離変化を説明するための図である。なお、図１２は、第３実施の形態で説明した頭部装着型表示装置４０を眼鏡ＥＧの右側のテンプルＴＲに取り付けた場合を例示している。上述した各実施の形態で説明したように、本発明に係る頭部装着型表示装置によると、スライド操作部３５を前方にスライドさせると虚像ＶＩが遠方に移動し、スライド操作部３５を後方にスライドさせると虚像ＶＩが近づく方向に移動する。ここで、装着者Ｈから虚像ＶＩまでの距離は、例えば、無限遠から３０ｃｍ程度まで可能であるが、様々な環境で常時装着して使用する用途を考慮すると、屋外で歩きながら街の情報を表示する場合は、２ｍ〜３ｍ程度の遠方に虚像ＶＩを表示させるのが好ましい。また、デスクワーク等での使用の際には、５０ｃｍ〜１ｍ程度の近距離に虚像ＶＩを表示させるのが好ましい。これにより、周囲の環境との視度の変化が少なく、スムーズな視認が可能となる。
【００５１】
なお、本発明は、上記実施の形態にのみ限定されるものではなく、幾多の変形または変更が可能である。例えば、第１〜３実施の形態や第５実施の形態において、導光部材１５は、５回反射に限らず、２回反射や３回反射等の任意の複数回反射とすることができる。同様に、第４実施の形態の導光部材５４も、２回反射に限らず、３回反射や５回反射等の任意の複数回反射とすることができる。
【００５２】
また、上記第２実施の形態において、スライド操作部３５は、第４実施の形態と同様に、第１の筐体３１にガイド溝を形成し、該ガイド溝に係合させてスライド可能に構成することも可能である。さらに、上記各実施の形態において、スライド操作部は、筐体の外側面側に限らず、上面側や下面側にスライド可能に設けることもできる。
【００５３】
また、上記各実施の形態では、表示パネルを固定し、スライド操作部のスライド操作により接眼光学系の少なくとも一部の光学素子を移動させたが、表示パネルのみ、あるいは表示パネルと接眼光学系の少なくとも一部の光学素子との双方を移動させるように構成することもできる。なお、表示パネルを移動させる場合は、スライド操作部を前方に移動させると、表示パネルを後方に移動させて、接眼光学系との間の光路長が長くなるようにする。また、本発明は、表示素子として、上述した二次元の画像光を射出する表示パネル以外に、画素レベルの画像光を射出する表示素子を用い、該画像光による二次元走査により画像を観察可能に表示する場合も有効に適用することが可能である。
【符号の説明】
【００５４】
１０，３０，４０，５０，６０  頭部装着型表示装置
１１  筐体
１１ａ  第１の部分
１１ｂ  第２の部分
１１ｃ  接眼窓
１１ｄ  ガイド孔
１２  固定部
１３  表示パネル
１４  接眼光学系
１５  導光部材
１６  接眼レンズ
１７ａ  入射面
１７ｂ  射出面
２１  スライド部材
２２  スライド操作部
３１  第１の筐体
３１ａ  射出窓
３１ｂ，３１ｃ  ガイド孔
３１ｆ，３１ｇ  庇
３２  第２の筐体
３２ａ  入射窓
３２ｂ  接眼窓
３２ｃ  庇
３３  固定部
３３ａ  ボールジョイント
３４  プリズム
３５  スライド操作部
３６，３７  ガイドピン
５１  接眼光学系
５２  第１のレンズ
５３  第２のレンズ
５４  導光部材
６１  接眼光学系
６２  インナーフォーカスレンズ
６５  鏡筒
ＥＲ  右眼球
ＥＧ  眼鏡
ＴＲ  テンプル
ＶＩ  虚像
Ｈ  装着者
【図１】
0005543880.tif 000002
【図２】
0005543880.tif 000003
【図３】
0005543880.tif 000004
【図４】
0005543880.tif 000005
【図５】
0005543880.tif 000006
【図６】
0005543880.tif 000007
【図７】
0005543880.tif 000008
【図８】
0005543880.tif 000009
【図９】
0005543880.tif 000010
【図１０】
0005543880.tif 000011
【図１１】
0005543880.tif 000012
【図１２】
0005543880.tif 000013